(57)【要約】【課題】  ネットワーク・回線の接続有無によって復帰要因の回路に供給する電力を遮断する構造としてさらなる省電力を可能とする。【解決手段】  デジタル複合機は、ファクシミリ機能、プリンタ機能を始めとした複数のアプリケーション機能を備えており、省電力モードと復帰モードとが切り換えられる。それぞれのアプリケーション機能に対して設けられ、復帰要因を検知して外部電源との通電をＯＮ／ＯＦＦする電源ＯＮ／ＯＦＦ手段５ａ、６ａ、７ａと、それぞれのアプリケーション機能に対して設けられ、回線またはネットワークとの接続との有無を検知する接続検知手段５、６、７と、いずれか１つの接続検知手段の検知に基づき、その接続検知手段に対応した電源ＯＮ／ＯＦＦ手段によるＯＮ／ＯＦＦを制御するメイン制御手段４とを備える。【選択図】  図１
2006254384.tif 000002
【特許請求の範囲】
【請求項１】
ファクシミリ機能、プリンタ機能を始めとした複数のアプリケーション機能を備えており、省電力モードと復帰モードとが切り換えられるデジタル複合機において、
前記それぞれのアプリケーション機能に対して設けられ、復帰要因を検知して外部電源との通電をＯＮ／ＯＦＦする複数の電源ＯＮ／ＯＦＦ手段と、
前記それぞれのアプリケーション機能に対して設けられ、回線またはネットワークとの接続との有無を検知する複数の接続検知手段と、
前記いずれか１つの接続検知手段の検知に基づき、該接続検知手段に対応した電源ＯＮ／ＯＦＦ手段によるＯＮ／ＯＦＦを制御するメイン制御手段とを有することを特徴とするデジタル複合機。
【請求項２】
前記電源ＯＮ／ＯＦＦ手段は、外部電源とそれぞれのアプリケーション機能との間に配置された遮断機であることを特徴とする請求項１記載のデジタル複合機。
【請求項３】
前記接続検知手段は、公衆回線との接続を検知する公衆回線検知部及びネットワークとの接続を検知するＬＡＮ検知部の少なくとも一方であることを特徴とする請求項１記載のデジタル複合機。
【発明の詳細な説明】
【技術分野】
【０００１】
本発明は、ファクシミリ（ＦＡＸ）機能、プリンタ機能等を備えたデジタル複合機に関し、特に省電力モード（スリープモード）と復帰モードとに切り換えが可能となっているデジタル複合機に関する。
【背景技術】
【０００２】
デジタル複合機は複写機機能に加えてプリンタ機能やファクシミリ機能、その他の機能を備えるものであり、使用しない場合には、省電力モードに切り換えることにより電力消費を削減できるようになっている。省電力モードへの切り換えを行うため、特許文献１には、遠隔地への送受信を行う通信手段に対し、外部のホストマシンから同通信手段への切換信号が入力されたとき、省電力モードを解除する構造が開示されている。
【特許文献１】特開２０００−３５７３２号公報
【発明の開示】
【発明が解決しようとする課題】
【０００３】
デジタル複合機では、デジタル化によって本来のコピア機能のほかにコピアのリソース（スキャナや電子写真プロッタ）を使い通信機能を組み合わせてＦＡＸ機能やプリンタ機能を併せ持つ機器となっている。ＦＡＸ機能は機器が省電力状態においても着信を監視し、機器を復帰させるため回線通信部などの一部回路を通電している。また、プリンタ機能においてはプリント要求で機器を復帰させるためＩ／Ｆ回路などの一部回路を通電している。
【０００４】
以上のことから、デジタル複合機では、省電力モード及び復帰モード間での切換を監視する復帰監視回路を備えている。この復帰監視回路には常に電力が供給されているため、デジタル複合機が回線・ネットワークに繋がれていない時や、回線・ネットワークの不通時には復帰監視回路への通電により無駄な電力を消費することになる。
【０００５】
そこで本発明は、ネットワーク・回線の接続有無によって復帰要因の回路に供給する電力を遮断する構造とすることにより、さらに省電力を可能としたデジタル複合機を提供することを目的する。
【課題を解決するための手段】
【０００６】
請求項１記載の発明は、ファクシミリ機能、プリンタ機能を始めとした複数のアプリケーション機能を備えており、省電力モードと復帰モードとが切り換えられるデジタル複合機において、前記それぞれのアプリケーション機能に対して設けられ、復帰要因を検知して外部電源との通電をＯＮ／ＯＦＦする複数の電源ＯＮ／ＯＦＦ手段と、前記それぞれのアプリケーション機能に対して設けられ、回線またはネットワークとの接続との有無を検知する複数の接続検知手段と、前記いずれか１つの接続検知手段の検知に基づき、該接続検知手段に対応した電源ＯＮ／ＯＦＦ手段によるＯＮ／ＯＦＦを制御するメイン制御手段とを有することを特徴とする。
【０００７】
請求項２記載の発明は、請求項１記載の発明において、前記電源ＯＮ／ＯＦＦ手段は、外部電源とそれぞれのアプリケーション機能との間に配置された遮断機であることを特徴とする。
【０００８】
請求項３記載の発明は、請求項１記載の発明において、前記接続検知手段は、公衆回線との接続を検知する公衆回線検知部及びネットワークとの接続を検知するＬＡＮ検知部の少なくとも一方であることを特徴とする。
【発明の効果】
【０００９】
本発明によれば、復帰要因を検知して外部電源との通電をＯＮ／ＯＦＦする電源ＯＮ／ＯＦＦ手段及び回線またはネットワークとの接続との有無を検知する接続検知手段がそれぞれのアプリケーション機能に対して設けられており、メイン制御手段がいずれか１つの接続検知手段の検知に基づいてその接続検知手段に対応した電源ＯＮ／ＯＦＦ手段によるＯＮ／ＯＦＦを制御するため、回線及びネットワーク接続に応じた適切な省電力を行うことができる。
【発明を実施するための最良の形態】
【００１０】
以下、本発明を図示する実施形態により具体的に説明する。図１は本発明の一実施形態におけるデジタル複合機のブロック図、図２はメイン制御部のブロック図、図３は制御を示すフローチャートである。
【００１１】
本実施形態のデジタル複合機は、図１に示すように、操作部１、スキャナ部２、プロッタ部３、メイン制御部４、ＦＡＸ受信検知部５、プリンタデータ検知部６、厚板開閉検知部７、ＰＳＵ８を備えている。
【００１２】
操作部１は操作キーおよび表示素子によって構成される。この操作部１によりオペレータは動作モードの指定やデータの入力を行うことができる。この実施形態において、オペレータの押下操作により複合機全体を省電力状態に移行させるためと、省電力状態から復帰させるためのキーである節電キーを備えている。
【００１３】
スキャナ部２は光源、ＣＣＤ等の固体撮像素子及びメカ機構駆動モータ、センサ等で構成される。プロッタ部３は、電子写真方式を採用しており、電子写真プロセス負荷、紙搬送モータ、感光体駆動モータ、紙検知センサ、クラッチなどのプロッタ負荷で構成される。
【００１４】
メイン制御部４はスキャナ部２、プロッタ部３、操作部１の動作を制御する。また後述する機能拡張制御部と協調し、複合機全体の制御を行う。メイン制御部４はＯＦＦ信号０〜３を通じて遮断機１７、５ａ、６ａ、７ａをＯＦＦすることができる。この実施形態では、省電力時に電力供給をＯＦＦするユニット（スキャナ部２、プロッタ部３、機能拡張制御部）と省電力時の復帰要因を検知する回路別に遮断機５ａ、６ａ、７ａが設けられており、これらを制御することで複合機が省電力モードとなる。この場合、メイン制御部４には省電力状態であっても電力が供給されるため省電力状態からの復帰要因を監視することができる。
【００１５】
ＦＡＸ受信検知部５は復帰要因の検知回路の一つとして機能する。複合機が省電力状態であり回路に電力が供給されている時は、ＦＡＸ受信時に復帰要因信号１をメイン制御部に送る。公衆回線検知部１４はＦＡＸ受信検知部５に接続されており、トーン音を検出することで複合機が回線に正常接続しているかどうかを検知し、メイン制御部４に検知結果を知らせる。
【００１６】
プリンタデータ受信検知部６は復帰要因検知回路の一つとして機能する。複合機が省電力状態であり回路に電力が供給されている時は、プリント要求を受信時にプリント要求による復帰要因信号２をメイン制御部４に送る。ＬＡＮ検知部１５はこのプリンタデータ受信検知部６に接続されており、ネットワーク上にパケットデータが流れているかどうかを検出することにより、複合機がローカルネットワークに正常接続しているかどうかを検知し、メイン制御部４に検知結果を知らせる。
【００１７】
圧板開閉検知回路７は複合機が省電力状態で回路に電力が供給されているとき、圧板開閉時に復帰要因信号３をメイン制御部４に送る。
【００１８】
以上のＦＡＸ受信検知部５、プリントデータ受信検知部６および圧板開閉検知回路７は電源が供給されていないと復帰要因信号をメイン制御部４に送らないようになっている。
【００１９】
コピア制御部１１、ファクシミリ制御部１２、プリンタ制御部１３は拡張機能コントローラ部である。この実施形態の複合機においては、コピア制御部１１、ファクシミリ制御部１２、プリンタ制御部１３はユーザーの任意で組み合わせ拡張できるようになっており、図１はこの最大拡張時の場合を図示している。その他、図示は省力するが、機能コントーラ部中に画像処理部、画像メモリを備えておりコピー画像処理や、ＦＡＸ送受信・プリンタ受信データの蓄積・展開などの処理を行う。
【００２０】
メイン制御部４は図２に示すように、デジタル複合機の制御を実際に行う素子としてのＣＰＵ２１を有している。図２において、ＲＯＭ２２はデジタル複合機全体を制御するプログラムおよび制御に必要なデータが格納されている。ＲＡＭ２３はＣＰＵ２１が制御上のデータや状態を一時的に記憶するために使用される。
【００２１】
不揮発性メモリ２４はメイン制御部４の電源がＯＦＦしてもデータを保持することができるメモリであり、バッテリーバックアップされたＲＡＭを使用することができる。この不揮発メモリは、拡張機能の構成データなどの記憶に用いる。リアルタイムクロック２５は時間を計測するのに用いられる。ＣＰＵ２１は時間の計測によって一定時間操作がない場合に省電力状態に移行する。
【００２２】
ＣＰＵは２１は、Ｉ／Ｏポート２６を介して制御対象の駆動やセンサ信号の検知を行い、スキャナ部２、プロッタ部３の制御を行う。さらに、ＯＦＦ信号０〜２の出力および復帰要因信号１〜３の検知を行う。
【００２３】
ＵＡＲＴ（シリアル通信部）２７は操作部を表示／キー検知のためにコマンド／ステータスのやり取りを行う。また、コピア制御部１１、ＦＡＸ制御部１２およびプリンタ制御部１３の各機能コントローラとコマンド／ステータスの情報交換を行い複合機全体の制御を行う。さらに、イニシャル制御時にメイン制御部と各機能コントローラとやり取りを行い、各コントローラとの通信が成立することでメイン制御部４は現在増設されている機能を知ることができる。
【００２４】
以上の構成において、メイン制御部４は省電力状態でない時に公衆回線検知部１４とＬＡＮ検知部１５からの情報で公衆回線およびローカルネットワークに正常接続されているかどうか確認し、その情報をメイン制御部４のＲＡＭ２３に記憶する。ユーザーによる節電キーの押下や、一定時間操作されない場合などの条件で複合機は省電力処理に移行する。
【００２５】
図３は本実施形態における省電力の処理フローチャートである。省電力時の動作は、はじめにＯＦＦ信号０〜３を制御し、遮断器１７および５ａ、６ａで電源を遮断する。続いて、省電力前の情報により公衆回線に正常接続されている場合はＯＦＦ信号１をＯＮとし、ＦＡＸ受信検知部５に電力を供給する。回線に正常接続されていない場合はＯＦＦ信号１がＯＦＦのままでＦＡＸ受信検知部５に電力を供給しない。
【００２６】
同様にローカルネットワークに正常接続されていた場合はＯＦＦ信号２を制御してプリント要求検知部６に電力供給を行い、正常接続されていない場合はプリント要求検知部６には電力を遮断したままとなる。
【００２７】
その後は、通電している復帰要因からの復帰信号が送られてくるか、ユーザーが節電キーを押下するかの検知を続けることとなる。そして、復帰要因が検知されればＯＦＦ信号０〜３を制御して遮断器１７、５ａ、６ａ、７ａをＯＮすることで複合機を通常状態に復帰させる。
【００２８】
上記説明した省電力処理を行うことにより、回線およびネットワークの接続状態に応じた省電力が可能となる。
【図面の簡単な説明】
【００２９】
【図１】本発明の一実施形態の全体を示すブロック図である。
【図２】メイン制御部のブロック図である。
【図３】制御を示すフローチャートである。
【符号の説明】
【００３０】
１    操作部
４    メイン制御部
５    ＦＡＸ受信検知部
６    プリント要求検知部
７    圧板開閉検知部
１４    公衆回線検知部
１５    ＬＡＮ検知部
１７、５ａ、６ａ、７ａ    遮断機
【図１】
2006254384.tif 000003
【図２】
2006254384.tif 000004
【図３】
2006254384.tif 000005